(57)【特許請求の範囲】
【請求項１】
移動局装置と通信する基地局装置であって、
基準信号を用いた測定の設定を示す測定設定を前記移動局装置に対して通知する送信部と、
前記移動局装置から測定報告を受信する受信部とを有し、
前記測定設定は、測定する対象を示す測定対象と、測定結果を報告する条件を示す報告設定と、識別子とを含み、
前記識別子は、一つの前記測定対象と一つの前記報告設定とを紐づける識別子であり、
前記報告設定は、報告の条件を示すイベント情報を含み、
前記イベント情報には、前記識別子によって前記報告設定に紐づけられた測定対象の測定に用いられる基準信号として、チャネル状態情報基準信号が用いられるか否かを示す情報が含まれ、
前記チャネル状態情報基準信号が測定対象の測定に用いられる場合であっても、セル固有基準信号を用いたサービングセルの基準信号受信電力（ＲＳＲＰ）の情報が前記測定報告に含まれる
ことを特徴とする基地局装置。
【請求項２】
基地局装置と通信する移動局装置であって、
基準信号を用いた測定の設定を示す測定設定を前記基地局装置から受信する受信部と、
前記測定設定に含まれる報告設定に基づき、前記報告設定に紐づけられた測定対象の測定に用いる基準信号を判断する測定部と、
前記基地局装置に測定報告を送信する送信部とを有し、
前記測定設定には、測定する対象を示す測定対象と、測定結果を報告する条件を示す前記報告設定と、識別子とが含まれ、
前記識別子は、一つの前記測定対象と一つの前記報告設定とを紐づける識別子であり、
前記報告設定には、報告の条件を示すイベント情報が含まれ、
前記イベント情報には、前記識別子によって前記報告設定に紐づけられた測定対象の測定に用いられる基準信号として、チャネル状態情報基準信号が用いられるか否かを示す情報が含まれ、
前記チャネル状態情報基準信号が測定対象の測定に用いられる場合であっても、セル固有基準信号を用いたサービングセルの基準信号受信電力（ＲＳＲＰ）の情報が前記測定報告に含まれる
ことを特徴とする移動局装置。
【請求項３】
基地局装置と通信する移動局装置に用いられる測定方法であって、
基準信号を用いた測定の設定を示す測定設定を前記基地局装置から受信するステップと、
前記測定設定に含まれる報告設定に基づき、前記報告設定に紐づけられた測定対象の測定に用いる基準信号を判断するステップと、
前記基地局装置に測定報告を送信するステップとを少なくとも含み、
前記測定設定には、測定する対象を示す測定対象と、測定結果を報告する条件を示す前記報告設定と、識別子とが含まれ、
前記識別子は、一つの前記測定対象と一つの前記報告設定とを紐づける識別子であり、
前記報告設定には、報告の条件を示すイベント情報が含まれ、
前記イベント情報には、前記識別子によって前記報告設定に関連付けられた測定対象の測定に用いられる基準信号として、チャネル状態情報基準信号が用いられるか否かを示す情報が含まれ、
前記チャネル状態情報基準信号が測定対象の測定に用いられる場合であっても、セル固有基準信号を用いたサービングセルの基準信号受信電力（ＲＳＲＰ）の情報が前記測定報告に含まれる
ことを特徴とする測定方法。
【請求項４】
基地局装置と通信する移動局装置に実装される集積回路であって、
基準信号を用いた測定の設定を示す測定設定を前記基地局装置から受信する機能と、
前記測定設定に含まれる報告設定に基づき、前記測定対象の測定に用いる基準信号を判断する機能と、
前記基地局装置に測定報告を送信する機能とを少なくとも含み、
前記測定設定には、測定する対象を示す測定対象と、測定結果を報告する条件を示す前記報告設定と、識別子とが含まれ、
前記識別子は、一つの前記測定対象と一つの前記報告設定とを紐づける識別子であり、
前記報告設定には、報告の条件を示すイベント情報が含まれ、
前記イベント情報には、前記識別子によって前記報告設定に関連付けられた測定対象の測定に用いられる基準信号として、チャネル状態情報基準信号が用いられるか否かを示す情報が含まれ、
前記チャネル状態情報基準信号が測定対象の測定に用いられる場合であっても、セル固有基準信号を用いたサービングセルの基準信号受信電力（ＲＳＲＰ）の情報が前記測定報告に含まれる
ことを特徴とする集積回路。
【発明の詳細な説明】
【技術分野】
【０００１】
本発明は、基地局装置、移動局装置、測定方法、および集積回路に関し、特に移動局装置が基地局装置から通知される設定に基づき受信信号を測定する通信システムに関する。
【背景技術】
【０００２】
セルラー移動通信の無線アクセス方式および無線ネットワークの進化（以下、「Long Term Evolution （ＬＴＥ）」、または、「Evolved Universal Terrestrial Radio Access （ＥＵＴＲＡ）」と称す。）が、第三世代パートナーシッププロジェクト（3rd Generation Partnership Project；３ＧＰＰ）において検討されており、さらにＬＴＥを発展させて新たな技術を適用するＬＴＥ−Ａ（LTE-Advanced、または、「Ａｄｖａｎｃｅｄ  ＥＵＴＲＡ）」とも称す。）も検討されている。
【０００３】
Ａｄｖａｎｃｅｄ  ＥＵＴＲＡでは、移動局装置に対する干渉を軽減または抑圧するために、または受信信号電力を増大させるために、隣接セル間で互いに協調して通信を行なうセル間協調（Cooperative Multipoint; CoMP）通信が検討されている。例えば、セル間協調通信として、複数のセルで異なる重み付け信号処理（プリコーディング処理）が信号に適用され、複数の基地局装置がその信号を協調して同一の移動局装置に送信する方法（Joint Processing; JP、Joint Transmission; JTとも称す）や、複数のセルで協調して移動局装置に対するスケジューリングする方法（Coordinated Scheduling; CS）や、複数のセルで協調してビームフォーミングを適用して移動局装置に信号を送信する方法（Coordinated beamforming; CB）や、一方のセルでのみ所定のリソースを用いて信号を送信し、一方のセルでは前記リソースと重複するリソースでは信号を送信しない方法（Blanking, Muting）などが検討されている。
【０００４】
なお、セル間協調通信に用いられる複数のセルに関して、各セルは異なる基地局装置によって管理されるセルであってもよいし、同じ基地局装置によって管理されるセルであってもよい。また、各セルは基地局本体の制御部で制御される無線部（Remote Radio Head; RRH、Remote Radio Unit; RRUとも称す）で構成されてもよい。前記無線部は前記基地局装置本体と光ファイバのような有線で接続されてもよいし、リレー局装置のように無線によって接続されてもよい。
【先行技術文献】
【非特許文献】
【０００５】
【非特許文献１】Ｒ２−１２２８６４，Ｄｉｓｃｕｓｓｉｏｎ  ｏｎ  ＣｏＭＰ  Ｍｅａｓｕｒｅｍｅｎｔ  ｓｅｔ  Ｍａｎａｇｅｍｅｎｔ (http://www.3gpp.org/ftp/tsg_ran/WG2_RL2/TSGR2_78/Docs/R2-122864.zip）
【０００６】
【非特許文献２】Ｒ２−１２２７１１，ＣｏＭＰ  Ｍｅａｓｕｒｅｍｅｎｔｓ (http://www.3gpp.org/ftp/tsg_ran/WG2_RL2/TSGR2_77bis/Docs/R2-122711.zip）
【０００７】
【非特許文献３】３ＧＰＰ  ＴＳ３６．３３１，Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ．Ｖ１０．５．０(http://www.3gpp.org/ftp/Specs/html-info/36331.htm）
【発明の概要】
【発明が解決しようとする課題】
【０００８】
３ＧＰＰでは、Ａｄｖａｎｃｅｄ  ＥＵＴＲＡの議論において、セル間協調通信を行なうセルを最適化するために、チャネル状態情報基準信号（Channel State Information Reference Symbol; CSI-RS）を用いた受信品質の測定を行なうことが検討されている。
【０００９】
非特許文献１では、基地局装置がこのチャネル状態情報基準信号（ＣＳＩ基準信号）のリソース情報を測定の対象として移動局装置に通知し、移動局装置がチャネル状態情報基準信号の受信品質を基地局装置に報告するための仕組みを新たに定義することが提案されており、また、非特許文献２では、チャネル状態情報基準信号を用いた受信品質測定に、従来の無線リソース管理（ＲＲＭ）測定の仕組みを拡張することが提案されている。非特許文献２では、ＲＲＭ測定の仕組みに対して、測定量（measurement quantities）の定義にチャネル状態情報基準信号の測定であることを示す拡張と、報告のための条件をチャネル状態情報基準信号の測定に適した条件とする拡張と、測定設定にチャネル状態情報基準信号の情報を含める拡張とを行なうことが提案されている。
【００１０】
しかしながら、非特許文献２では、チャネル状態情報基準信号を用いた測定のために従来の無線リソース管理（ＲＲＭ）測定の仕組みから変更すべきパラメータについて提案されているが、従来のＲＲＭ測定と新たなチャネル状態情報基準信号を用いた測定との具体的な識別（切り替え）については新たな測定量の定義を必要とし、また、従来のＲＲＭ測定の仕組みを用いた効率的な測定報告の方法については提案されていない。
【００１１】
本発明は上記の点に鑑みてなされたものであり、その目的は、チャネル状態情報基準信号を用いた測定を効率的に行なうことができる通信システム、基地局装置、移動局装置、測定方法、および集積回路を提供することである。
【課題を解決するための手段】
【００１２】
（１）上記の目的を達成するために、本発明は、以下のような手段を講じた。すなわち、本願の通信システムは、基地局装置が、移動局装置に対して基準信号を用いた測定の設定を示す測定設定を通知する通信システムであって、前記測定設定には、測定する対象となる周波数を少なくとも示す測定対象が含まれており、前記基地局装置は、セル固有基準信号を用いて測定を行なう第１の測定設定を設定する場合には、前記測定対象にチャネル状態情報基準信号の設定を含まない前記測定設定を前記移動局装置に通知し、チャネル状態情報基準信号を用いて測定を行なう第２の測定設定を設定する場合には、前記測定対象に１以上のチャネル状態情報基準信号の設定を含む前記測定設定を前記移動局装置に通知し、前記移動局装置は、前記測定対象にチャネル状態情報基準信号の設定が含まれない場合には、前記測定設定を第１の測定設定であると判断し、前記測定設定の測定対象にチャネル状態情報基準信号の設定が含まれる場合には、前記測定設定を第２の測定設定であると判断することを特徴とする
【００１３】
（２）また、本願の通信システムは、基地局装置が移動局装置に対して基準信号を用いた測定の設定を示す測定設定を通知する通信システムであって、前記測定設定には、測定結果を報告する条件を示す報告設定が含まれており、さらに前記報告設定には、第１の状態または第２の状態を示す識別ビットが含まれており、前記基地局装置は、セル固有基準信号を用いて測定を行なう第１の測定設定を設定する場合には、前記識別ビットを第１の状態として前記測定設定を前記移動局装置に通知し、チャネル状態情報基準信号を用いて測定を行なう第２の測定設定を設定する場合には、前記識別ビットを第２の状態として前記測定設定を前記移動局装置に通知し、前記移動局装置は、前記基地局装置から通知される前記識別ビットに基づき、前記識別ビットが第１の状態である場合には、前記測定設定を第１の測定設定であると判断し、前記識別ビットが第２の状態である場合には、前記測定設定を第２の測定設定であると判断することを特徴とする。
【００１４】
（３）また、本願の通信システムにおいて、前記測定設定には、前記第１の測定設定と前記第２の測定設定とで共通の前記報告設定が含まれており、前記移動局装置は、前記測定設定が、前記第２の測定設定である場合には、前記報告設定で示されるサービングセルの基準信号として、前記測定対象で指定される周波数のサービングセルのセル間協調通信で使用されるチャネル状態情報基準信号を設定し、前記報告設定で示される隣接セルの基準信号として、前記測定対象で示されるチャネル状態情報基準信号を設定することを特徴とする。
【００１５】
（４）また、本願の通信システムは、基地局装置が移動局装置に対して基準信号を用いた測定の設定を示す測定設定を通知する通信システムであって、前記測定設定には、測定結果を報告する条件を示す報告設定が含まれており、さらに前記報告設定には、報告の条件として指定される測定イベントを示す測定イベント情報が含まれており、前記基地局装置は、セル固有基準信号を用いて測定を行なう第１の測定設定を設定する場合には、前記測定イベントとしてセル固有基準信号を基準信号とする測定イベントを選択して、前記移動局装置に通知し、チャネル状態情報基準信号を用いて測定を行なう第２の測定設定を設定する場合には、前記報告設定の測定イベントとしてチャネル状態情報基準信号を基準信号とする測定イベントを選択して、前記測定設定を前記移動局装置に通知し、前記移動局装置は、前記基地局装置から通知される前記測定イベント情報に基づき、前記測定イベントがセル固有基準信号を基準信号とする測定イベントである場合には、前記測定設定を第１の測定設定であると判断し、前記測定イベントがチャネル状態情報基準信号を基準信号とする測定イベントである場合には、前記測定設定を第２の測定設定であると判断することを特徴とする。
【００１６】
（５）また、本願の通信システムは、基地局装置が移動局装置に対して基準信号を用いた測定の設定を示す測定設定を通知する通信システムであって、前記移動局装置は、チャネル状態情報基準信号を用いて測定を行なう第２の測定設定が通知された場合、前記基地局装置への測定報告に含まれる隣接セルの物理セル識別子の設定に、前記第２の測定設定に含まれる１以上のチャネル状態情報基準信号設定を識別するための識別子を設定して、前記測定報告を前記基地局装置に対して送信し、前記基地局装置は、前記移動局装置へ通知した測定設定が、セル固有基準信号を用いて測定を行なう第１の測定設定であれば、前記測定報告に含まれる前記物理セル識別子の設定が隣接セルの物理セル識別子であると判断し、前記移動局装置へ通知した測定設定が、前記第２の測定設定であれば、前記測定報告に含まれる前記物理セル識別子の設定が前記第２の測定設定に含まれる１以上のチャネル状態情報基準信号設定を識別するための識別子であると判断することを特徴とする。
【００１７】
（６）また、本願の基地局装置は、移動局装置に対して基準信号を用いた測定の設定を示す測定設定を通知する基地局装置であって、前記測定設定は、測定する対象となる周波数を少なくとも示す測定対象を含み、セル固有基準信号を用いて測定を行なう第１の測定設定を行なう場合には、前記測定対象にチャネル状態情報基準信号の設定を含まない前記測定設定を前記移動局装置に通知し、チャネル状態情報基準信号を用いて測定を行なう第２の測定設定を行なう場合には、前記測定対象に１以上のチャネル状態情報基準信号の設定を含む前記測定設定を前記移動局装置に通知することを特徴とする。
【００１８】
（７）また、本願の基地局装置は、移動局装置に対して基準信号を用いた測定の設定を示す測定設定を通知する基地局装置であって、前記測定設定は、測定結果を報告する条件を示す報告設定を含み、さらに前記報告設定には、第１の状態と第２の状態とを示す識別ビットが含まれ、セル固有基準信号を用いて測定を行なう第１の測定設定を行なう場合には、前記報告設定の識別ビットを第１の状態として前記測定設定を前記移動局装置に通知し、チャネル状態情報基準信号を用いて測定を行なう第２の測定設定を行なう場合には、前記報告設定の識別ビットを第２の状態として前記測定設定を前記移動局装置に通知することを特徴とする
【００１９】
（８）また、本願の基地局装置は、移動局装置に対して基準信号を用いた測定の設定を示す測定設定を通知し、前記移動局装置から測定報告を受信する基地局装置であって、前記移動局装置へ通知した測定設定が、セル固有基準信号を用いて測定を行なう第１の測定設定であれば、前記測定報告に含まれる前記物理セル識別子の設定が隣接セルの物理セル識別子であると判断し、前記移動局装置へ通知した測定設定が、チャネル状態情報基準信号を用いて測定を行なう第２の測定設定であれば、前記測定報告に含まれる前記物理セル識別子の設定が前記第２の測定設定に含まれる１以上のチャネル状態情報基準信号設定を識別するための識別子であると判断することを特徴とする。
【００２０】
（９）また、本願の移動局装置は、基地局装置から基準信号を用いた測定の設定を示す測定設定を受信する移動局装置であって、前記測定設定は、測定する対象となる周波数を少なくとも示す測定対象を含み、前記基地局装置から通知される前記測定設定の測定対象にチャネル状態情報基準信号の設定が含まれない場合には、前記測定設定をセル固有基準信号を用いて測定を行なう第１の測定設定であると判断し、前記測定設定の測定対象にチャネル状態情報基準信号の設定が含まれる場合には、前記測定設定をチャネル状態情報基準信号を用いて測定を行なう第２の測定設定であると判断することを特徴とする。
【００２１】
（１０）また、本願の移動局装置は、基地局装置から基準信号を用いた測定の設定を示す測定設定を受信する移動局装置であって、前記測定設定は、測定結果を報告する条件を示す報告設定を含み、さらに前記報告設定には、第１の状態と第２の状態とを示す識別ビットが含まれ、前記基地局装置から通知される前記測定設定の報告設定に含まれる識別ビットに基づき、前記識別ビットが第１の状態である場合には、前記測定設定を、セル固有基準信号を用いて測定を行なう第１の測定設定であると判断し、前記識別ビットが第２の状態である場合には、前記測定設定を、チャネル状態情報基準信号を用いて測定を行なう第２の測定設定であると判断することを特徴とする。
【００２２】
（１１）また、本願の移動局装置は、基地局装置から基準信号を用いた測定の設定を示す測定設定を受信する移動局装置であって、前記基地局装置から前記測定設定として、チャネル状態情報基準信号を用いて測定を行なう測定設定が通知された場合、前記基地局装置への測定報告に含まれる隣接セルの物理セル識別子の設定に、前記測定設定に含まれる１以上のチャネル状態情報基準信号設定を識別するための識別子を設定して、前記測定報告を前記基地局装置に対して送信することを特徴とする。
【００２３】
（１２）また、本願の測定方法は、基地局装置から基準信号を用いた測定の設定を示す測定設定を受信する移動局装置の測定方法であって、前記測定設定は、測定する対象となる周波数を少なくとも示す測定対象を含み、前記基地局装置から通知される前記測定設定の測定対象にチャネル状態情報基準信号の設定が含まれない場合には、前記測定設定をセル固有基準信号を用いて測定を行なう第１の測定設定であると判断し、前記測定設定の測定対象にチャネル状態情報基準信号の設定が含まれる場合には、前記測定設定をチャネル状態情報基準信号を用いて測定を行なう第２の測定設定であると判断するステップを備えることを特徴とする。
【００２４】
（１３）また、本願の測定方法は、基地局装置から基準信号を用いた測定の設定を示す測定設定を受信する移動局装置の測定方法であって、前記測定設定は、測定結果を報告する条件を示す報告設定を含み、さらに前記報告設定には、第１の状態と第２の状態とを示す識別ビットが含まれ、前記基地局装置から通知される前記測定設定の報告設定に含まれる識別ビットに基づき、前記識別ビットが第１の状態である場合には、前記測定設定を、セル固有基準信号を用いて測定を行なう第１の測定設定であると判断し、前記識別ビットが第２の状態である場合には、前記測定設定を、チャネル状態情報基準信号を用いて測定を行なう第２の測定設定であると判断するステップを備えることを特徴とする。
【００２５】
（１４）また、本願の測定方法は、基地局装置から基準信号を用いた測定の設定を示す測定設定を受信する移動局装置の測定方法であって、前記基地局装置から前記測定設定として、チャネル状態情報基準信号を用いて測定を行なう測定設定が通知された場合、前記基地局装置への測定報告に含まれる隣接セルの物理セル識別子の設定に、前記測定設定に含まれる１以上のチャネル状態情報基準信号設定を識別するための識別子を設定して、前記測定報告を前記基地局装置に対して送信するステップを備えることを特徴とする。
【００２６】
（１５）また、本願の集積回路は、基地局装置から基準信号を用いた測定の設定を示す測定設定を受信する移動局装置に搭載される集積回路であって、前記測定設定は、測定する対象となる周波数を少なくとも示す測定対象を含み、前記基地局装置から通知される前記測定設定の測定対象にチャネル状態情報基準信号の設定が含まれない場合には、前記測定設定を、セル固有基準信号を用いて測定を行なう第１の測定設定であると判断し、前記測定設定の測定対象にチャネル状態情報基準信号の設定が含まれる場合には、前記測定設定を、チャネル状態情報基準信号を用いて測定を行なう第２の測定設定であると判断する機能を含むことを特徴とする。
【００２７】
（１６）また、本願の集積回路は、基地局装置から基準信号を用いた測定の設定を示す測定設定を受信する移動局装置に搭載される集積回路であって、前記測定設定は、測定結果を報告する条件を示す報告設定を含み、さらに前記報告設定には、第１の状態と第２の状態とを示す識別ビットが含まれ、前記基地局装置から通知される前記測定設定の報告設定に含まれる識別ビットに基づき、前記識別ビットが第１の状態である場合には、前記測定設定を、セル固有基準信号を用いて測定を行なう第１の測定設定であると判断し、前記識別ビットが第２の状態である場合には、前記測定設定を、チャネル状態情報基準信号を用いて測定を行なう第２の測定設定であると判断する機能を含むことを特徴とする。
【００２８】
（１７）また、本願の集積回路は、基地局装置から基準信号を用いた測定の設定を示す測定設定を受信する移動局装置に搭載される集積回路であって、前記基地局装置から前記測定設定として、チャネル状態情報基準信号を用いて測定を行なう測定設定が通知された場合、前記基地局装置への測定報告に含まれる隣接セルの物理セル識別子の設定に、前記測定設定に含まれる１以上のチャネル状態情報基準信号設定を識別するための識別子を設定して、前記測定報告を前記基地局装置に対して送信する機能を含むことを特徴とする。
【発明の効果】
【００２９】
本発明によれば、チャネル状態情報基準信号を用いた測定を効率的に行なうことができる通信システム、基地局装置、移動局装置、測定方法、および集積回路を提供することができる。
【図面の簡単な説明】
【００３０】
【図１】本発明の実施形態に係る基地局装置の一例を示すブロック図である。
【図２】本発明の実施形態に係る移動局装置の一例を示すブロック図である。
【図３】本発明の実施形態に係る基地局装置および移動局装置のユーザ平面構造を示す図である。
【図４】本発明の実施形態に係る基地局装置および移動局装置の制御平面構造を示す図である。
【図５】本発明の第１の実施形態における測定設定の一例を示した図である。
【図６】本発明の第１の実施形態における移動局装置の測定部の一例を示すブロック図である。
【図７】本発明の第１の実施形態、および第２の実施形態における測定設定手順の一例を示したフローチャートである。
【図８】本発明の第２の実施形態における測定設定の一例を示した図である。
【図９】本発明の第２の実施形態における移動局装置の測定部の一例を示すブロック図である。
【図１０】本発明の第３の実施形態における測定設定の一例を示した図である。
【図１１】本発明の第３の実施形態における移動局装置の測定部の一例を示すブロック図である。
【図１２】従来のＲＲＭ測定設定管理手順の一例を示したシーケンスチャートである。
【図１３】従来のＲＲＭ測定設定の一例を示した図である。
【発明を実施するための形態】
【００３１】
本発明の各実施形態を説明する前に、本発明の各実施形態に関わる技術について以下に簡単に説明する。
【００３２】
[物理チャネル]
ＥＵＴＲＡおよびＡｄｖａｎｃｅｄ  ＥＵＴＲＡで使用される主な物理チャネル（または物理シグナル）について説明を行なう。チャネルとは信号の送信に用いられる媒体を意味し、物理チャネルとは信号の送信に用いられる物理的な媒体を意味する。物理チャネルは、ＥＵＴＲＡ、およびＡｄｖａｎｃｅｄ  ＥＵＴＲＡにおいて、今後追加、または、その構造やフォーマット形式が変更または追加される可能性もあるが、変更または追加された場合でも本発明の各実施形態の説明には影響しない。
【００３３】
ＥＵＴＲＡおよびＡｄｖａｎｃｅｄ  ＥＵＴＲＡでは、物理チャネルのスケジューリングについて無線フレームを用いて管理している。１無線フレームは１０ｍｓであり、１無線フレームは１０サブフレームで構成される。さらに、１サブフレームは２スロットで構成される（すなわち、１スロットは０．５ｍｓである）。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（１スロット）で構成される領域で定義される。
【００３４】
同期シグナル（Synchronization Signals）は、３種類のプライマリ同期シグナルと、周波数領域で互い違いに配置される３１種類の符号から構成されるセカンダリ同期シグナルとで構成され、プライマリ同期シグナルとセカンダリ同期シグナルの信号の組み合わせによって、基地局装置を識別する５０４通りのセル識別子（物理セルＩＤ（Physical Cell Identity; PCI））と、無線同期のためのフレームタイミングが示される。移動局装置は、セルサーチによって受信した同期シグナルのセルＩＤを特定する。
【００３５】
物理報知情報チャネル（Physical Broadcast Channel; PBCH）は、セル内の移動局装置で共通に用いられる制御パラメータ（報知情報やシステム情報）を通知する目的で送信される。物理報知情報チャネルで通知されない報知情報は、物理下りリンク制御チャネルで無線リソースが通知され、物理下りリンク共用チャネルによってレイヤ３メッセージ（システムインフォメーション）で送信される。報知情報として、セル個別の識別子を示すセルグローバル識別子（Cell Global Identifier; CGI）、ページングによる待ち受けエリアを管理するトラッキングエリア識別子（Tracking Area Identifier; TAI）、ランダムアクセス設定情報（送信タイミングタイマーなど）、共通無線リソース設定情報などが通知される。
【００３６】
下りリンク基準信号は、その用途によって複数のタイプに分類される。例えば、セル固有基準信号（Cell-specific reference signals; CRS）は、セル毎に所定の電力で送信されるパイロット信号であり、所定の規則に基づいて周波数領域および時間領域で周期的に繰り返される下りリンク基準信号である。移動局装置は、セル固有基準信号を受信することでセル毎の受信品質を測定する。また、移動局装置は、セル固有基準信号と同時に送信される物理下りリンク制御チャネル、または物理下りリンク共用チャネルの復調のための参照信号としても下りセル固有基準信号を使用する。セル固有基準信号に使用される系列は、セル毎に識別可能な系列が用いられる。
【００３７】
また、下りリンク基準信号は下りリンクの伝搬路変動の推定にも用いられる。伝搬路変動の推定に用いられる下りリンク基準信号のことをチャネル状態情報基準信号（Channel State Information Reference Signals; CSI-RS）あるいはＣＳＩ基準信号と称する。また、移動局装置毎に個別に設定される下りリンク基準信号は、ＵＥ  ｓｐｅｃｉｆｉｃ  Ｒｅｆｅｒｅｎｃｅ  Ｓｉｇｎａｌｓ（ＵＲＳ）またはＤｅｄｉｃａｔｅｄ  ＲＳ（ＤＲＳ）と称され、物理下りリンク制御チャネル、または物理下りリンク共用チャネルの復調に用いられる。
【００３８】
物理下りリンク制御チャネル（Physical Downlink Control Channel; PDCCH）は、各サブフレームの先頭からいくつかのＯＦＤＭシンボルで送信され、移動局装置に対して基地局装置のスケジューリングに従った無線リソース割り当て情報や、送信電力の増減の調整量を指示する目的で使用される。移動局装置は、下りリンクデータや下りリンク制御データであるレイヤ３メッセージ（ページング、ハンドオーバーコマンドなど）を送受信する前に自局宛の物理下りリンク制御チャネルを監視（モニタ）し、自局宛の物理下りリンク制御チャネルを受信することで、送信時には上りリンクグラント、受信時には下りリンクグラント（下りリンクアサインメント）と呼ばれる無線リソース割り当て情報を物理下りリンク制御チャネルから取得する必要がある。なお、物理下りリンク制御チャネルは、上述したＯＤＦＭシンボルで送信される以外に、基地局装置から移動局装置に対して個別（ｄｅｄｉｃａｔｅｄ）に割り当てられるリソースブロックの領域で送信されるように構成することも可能である。
【００３９】
物理上りリンク制御チャネル（Physical Uplink Control Channel; PUCCH）は、物理下りリンク共用チャネルで送信されたデータの受信確認応答（Acknowledgement/Negative Acknowledgement; ACK/NACK）や下りリンクの伝搬路情報（チャネル状態情報）の通知、上りリンクの無線リソース割り当て要求（無線リソース要求）であるスケジューリングリクエスト（Scheduling Request; SR）を行なうために使用される。チャネル状態情報（ＣＳＩ）は、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）、ＲＩ（Ｒａｎｋ  Ｉｎｄｉｃａｔｏｒ）を含む。各Ｉｎｄｉｃａｔｏｒは、Ｉｎｄｉｃａｔｉｏｎと表記される場合もあるが、その用途と意味は同じである。
【００４０】
物理下りリンク共用チャネル（Physical Downlink Shared Channel; PDSCH）は、下りリンクデータのほか、ページングや物理報知情報チャネルで通知されない報知情報（システムインフォメーション）をレイヤ３メッセージとして移動局装置に通知するためにも使用される。物理下りリンク共用チャネルの無線リソース割り当て情報は、物理下りリンク制御チャネルで示される。
【００４１】
物理上りリンク共用チャネル（Physical Uplink Shared Channel; PUSCH）は、主に上りリンクデータと上りリンク制御データを送信し、下りリンクの受信品質やＡＣＫ／ＮＡＣＫなどの制御データを含めることも可能である。また、上りリンクデータの他、上りリンク制御情報をレイヤ３メッセージとして基地局装置に通知するためにも使用される。また、下りリンクの場合と同様に物理上りリンク共用チャネルの無線リソース割り当て情報は、物理下りリンク制御チャネルで示される。
【００４２】
上りリンク基準信号（Uplink Reference Signal）（上りリンクパイロット信号、上りリンクパイロットチャネルとも呼称する）は、基地局装置が、物理上りリンク制御チャネルＰＵＣＣＨおよび／または物理上りリンク共用チャネルＰＵＳＣＨを復調するために使用する復調基準信号（Demodulation Reference Signal; DMRS）と、基地局装置が、主に、上りリンクのチャネル状態を推定するために使用するサウンディング基準信号（Sounding Reference Signal; SRS）が含まれる。また、サウンディング基準信号には、周期的サウンディング基準信号（Ｐｅｒｉｏｄｉｃ  ＳＲＳ）と非周期的サウンディング基準信号（Ａｐｅｒｉｏｄｉｃ  ＳＲＳ）とがある。
【００４３】
物理ランダムアクセスチャネル（Physical Random Access Channel; PRACH）は、プリアンブル系列を通知するために使用されるチャネルであり、ガードタイムを有する。プリアンブル系列は、６４種類のシーケンスを用意して６ビットの情報を表現するように構成されている。物理ランダムアクセスチャネルは、移動局装置の基地局装置へのアクセス手段として用いられる。移動局装置は、物理上りリンク制御チャネル未設定時の無線リソース要求や、上りリンク送信タイミングを基地局装置の受信タイミングウィンドウに合わせるために必要な送信タイミング調整情報（タイミングアドバンス（Timing Advance; TA）とも呼ばれる）を基地局装置に要求するために物理ランダムアクセスチャネルを用いる。
【００４４】
具体的には、移動局装置は、基地局装置より設定された物理ランダムアクセスチャネル用の無線リソースを用いてプリアンブル系列を送信する。送信タイミング調整情報を受信した移動局装置は、報知情報によって共通的に設定される（またはレイヤ３メッセージで個別に設定される）送信タイミング調整情報の有効時間を計時する送信タイミングタイマーを設定し、送信タイミングタイマーの有効時間中（計時中）は送信タイミング調整状態、有効期間外（停止中）は送信タイミング非調整状態（送信タイミング未調整状態）として上りリンクの状態を管理する。レイヤ３メッセージは、移動局装置と基地局装置のＲＲＣ（無線リソース制御）層でやり取りされる制御平面（Ｃｏｎｔｒｏｌ−ｐｌａｎｅ）のメッセージであり、ＲＲＣシグナリングまたはＲＲＣメッセージと同義の意味で使用される。なお、それ以外の物理チャネルは、本発明の各実施形態に関わらないため詳細な説明は省略する。
【００４５】
[測定]
図１２は、ＥＵＴＲＡにおける、移動局装置２ならびに基地局装置１の無線リソース管理（radio resource management; RRM）測定設定管理方法について説明するためのシーケンスチャート図である。
【００４６】
図１２の例において、基地局装置１は、自局が運用する周波数としてＦ１とＦ２という異なる２つの周波数を使用可能であるとし、移動局装置２と基地局装置１は、周波数Ｆ１において無線接続が確立された状態（無線リソース制御接続状態（Ｒａｄｉｏ  Ｒｅｓｏｕｒｃｅ  Ｃｏｎｔｒｏｌ  Ｃｏｎｎｅｃｔｅｄ：ＲＲＣ＿Ｃｏｎｎｅｃｔｅｄ））である。ここで、基地局装置１は、移動局装置２に対して通信中のセル（在圏セル）並びにその他セル（周辺セル）の受信品質を測定させるために測定設定を含むメッセージ（以降、測定設定メッセージと称する）を送信する（ステップＳ１２０１）。測定設定メッセージには、測定される周波数（周波数Ｆ１と周波数Ｆ２）毎に少なくとも一つの測定設定情報が含まれている。測定設定情報は、測定ＩＤと、測定対象（ｍｅａｓｕｒｅｍｅｎｔ  ｏｂｊｅｃｔ）と、測定対象に対応する測定対象ＩＤと、測定イベントを含んだ報告設定と、報告設定に対応する報告設定ＩＤとで構成される。一つの測定対象ＩＤに対し複数の報告設定ＩＤがリンクされるように構成されていても良い。同様に、複数の測定対象ＩＤに対して一つの報告設定ＩＤがリンクされるように構成されていても良い。
【００４７】
例えば、２つの測定対象（周波数Ｆ１と周波数Ｆ２）と３つの報告設定が通知され、前記測定対象と報告設定との組み合わせに対して３つの測定ＩＤが設定される場合について図１３を用いて説明する。
【００４８】
基地局装置１は、測定対象として、周波数Ｆ１と周波数Ｆ２に、それぞれ識別子０と１を測定対象ＩＤとして割り当てて移動局装置２に通知する。また、基地局装置１は、報告設定として、報告設定１と報告設定２と報告設定３に、それぞれ識別子０，１，２を報告設定ＩＤとして割り当てて移動局装置２に通知する。さらに基地局装置１は、前記測定対象の識別子と前記報告設定の識別子との組み合わせに対して紐付けされる（リンクされる）測定ＩＤを移動局装置２に通知する。
【００４９】
図１３では、測定ＩＤ＃０として、識別子０の測定対象（周波数Ｆ１）と識別子０の報告設定との組み合わせが指定されている。同様に、識別子０の測定対象（周波数Ｆ１）と識別子１の報告設定との組み合わせが測定ＩＤ＃１に指定され、識別子１の測定対象（周波数Ｆ２）と識別子２の報告設定との組み合わせが測定ＩＤ＃２に指定されている。
【００５０】
また、測定イベント情報とは、例えば、在圏セルのセル固有基準信号の受信品質が所定の閾値よりも下回った／上回ったとき、周辺セルのセル固有基準信号の受信品質が在圏セルよりも下回ったとき、周辺セルの受信品質が所定の閾値よりも上回ったとき、などの条件を示す測定イベントと、当該条件を判定するために用いるパラメータから構成される情報である。パラメータには、閾値、オフセット値、測定イベントの成立に必要な時間などの情報が設定される。非特許文献３では、例えば測定イベントＡ１として、サービングセルの受信品質が閾値よりも良くなった場合に報告することが定義されている。また、測定イベントＡ３として、隣接セルの受信品質が、サービングセルの受信品質にオフセット値を加えたものよりも良くなった場合に報告することが定義されている。また、測定イベントＡ４として、隣接セルの受信品質が、閾値よりも良くなった場合に報告することが定義されている。
【００５１】
移動局装置２は、ステップＳ１２０２において、基地局装置１から設定された測定設定情報を内部情報として保存してから測定処理を開始する。具体的には、移動局装置２は前述のように測定ＩＤと測定対象ＩＤと報告設定ＩＤとを一つにリンクされるよう対応付けて管理し、各ＩＤに対応する測定情報を基に測定を開始する。これらの３つのＩＤが一つにリンクされている場合、有効とみなして関連する測定を開始し、これらの３つのＩＤが一つにリンクされていない場合（いずれかのＩＤが設定されていない場合）、無効とみなして関連する測定は開始されない。そして、誤り無く測定設定情報を設定できた場合、移動局装置２は、ステップＳ１２０３において測定設定の完了を示すメッセージ（測定設定完了メッセージ）を基地局装置１へ送信する。
【００５２】
そして、移動局装置２において、設定された測定イベントのいずれかがパラメータに従い条件を満たした場合、当該測定イベントがトリガ（ｔｒｉｇｇｅｒ）されたとして、測定報告メッセージを基地局装置１に対して送信する（ステップＳ１２０４）。測定報告メッセージには、少なくともトリガされた測定イベントの報告設定ＩＤにリンクした測定ＩＤと、必要であれば関連するセルの測定結果が設定されて報告される。基地局装置１は測定ＩＤがどの測定イベントの報告設定ＩＤにリンクしているかを把握しているため、移動局装置２は測定報告メッセージで報告設定ＩＤを通知する必要はない。
【００５３】
以上の事項を考慮しつつ、以下、添付図面を参照しながら本発明の好適な実施形態について詳細に説明する。なお、本発明の実施形態の説明において、本発明の実施形態に関連した公知の機能や構成についての具体的な説明が、本発明の実施形態の要旨を不明瞭にすると判断される場合には、その詳細な説明を省略する。
【００５４】
［第１の実施形態］
本発明の第１の実施形態について以下に説明する。
【００５５】
図１は、本発明の実施形態による基地局装置１の一例を示すブロック図である。本基地局装置１は、受信部１０１、復調部１０２、復号部１０３、制御部１０４、符号部１０５、変調部１０６、送信部１０７、ネットワーク信号送受信部１０８、上位レイヤ１０９で構成される。
【００５６】
上位レイヤ１０９は、下りリンクトラフィックデータと下りリンク制御データを符号部１０５へ出力する。符号部１０５は、入力された各データを符号化し、変調部１０６へ出力する。変調部１０６は、符号部１０５から入力された信号の変調を行なう。また、変調部１０６において変調された信号は、下りリンク基準信号が多重され、周波数領域の信号としてマッピングされる。送信部１０７は、変調部１０６から入力された信号を時間領域の信号へ変換し、変換した信号を既定の周波数の搬送波にのせて電力増幅を行なうと共に送信する。下りリンク制御データが配置される下りリンクデータチャネルは、典型的にはレイヤ３メッセージ（ＲＲＣ（Radio Resource Control）メッセージ）を構成する。
【００５７】
また、受信部１０１は、移動局装置２（図２参照）からの受信信号をベースバンドのデジタル信号に変換する。受信部１０１で変換されたデジタル信号は、復調部１０２へ入力されて復調される。復調部１０２で復調された信号は、続いて復号部１０３へ入力されて復号される。復号部１０３は、受信信号を上りリンクトラフィックデータと上りリンク制御データに適切に分離し、それぞれ上位レイヤ１０９へ出力する。
【００５８】
これら各ブロックの制御に必要な基地局装置制御情報は、上位レイヤ１０９より制御部１０４へ入力され、制御部１０４からは、送信に関連する基地局装置制御情報が送信制御情報として、符号部１０５、変調部１０６、送信部１０７の各ブロックに、受信に関連する基地局装置制御情報が受信制御情報として、受信部１０１、復調部１０２、復号部１０３の各ブロックに適切に入力される。
【００５９】
一方、ネットワーク信号送受信部１０８は、複数の基地局装置１間（または制御局装置（ＭＭＥ）、ゲートウェイ装置（Ｇａｔｅｗａｙ）、ＭＣＥ）と基地局装置１との間の制御メッセージの送信または受信を行なう。制御メッセージはネットワーク回線を経由して送受信される。制御メッセージは、Ｓ１インターフェースやＸ２インターフェースやＭ１インターフェースやＭ２インターフェースと呼ばれる論理インターフェース上でやり取りされる。図１において、その他の基地局装置１の構成要素は本実施形態に関係ないため省略する。
【００６０】
図２は、本発明の実施形態に係る移動局装置２の一例を示すブロック図である。本移動局装置２は、受信部２０１、復調部２０２、復号部２０３、測定部２０４、制御部２０５、ランダムアクセス処理部２０６、符号部２０７、変調部２０８、送信部２０９、上位レイヤ２１０で構成される。
【００６１】
受信に先立ち、上位レイヤ２１０は、移動局装置制御情報を制御部２０５に出力する。制御部２０５は、受信に関する移動局装置制御情報を受信制御情報として、受信部２０１、復調部２０２、復号部２０３、測定部２０４へ適切に出力する。受信制御情報は、受信スケジュール情報として、復調情報、復号化情報、受信周波数帯域の情報、各チャネルに関する受信タイミング、多重方法、無線リソース配置情報などの情報が含まれている。
【００６２】
受信部２０１は、受信制御情報で通知された周波数帯域で、図示しない一つ以上の受信機を通じて、後述する基地局装置１から信号を受信し、受信した信号をベースバンドのデジタル信号に変換して、復調部２０２へ出力する。また、受信部２０１は受信した基準信号を測定部２０４へ出力する。復調部２０２は、受信信号を復調して復号部２０３へ出力する。復号部２０３は、受信制御情報に基づき復調された信号を正しく復号し、下りリンクトラフィックデータと下りリンク制御データに適切に分離し、それぞれ上位レイヤ２１０へ出力する。測定部２０４は、受信した基準信号のＲＳＲＰやＲＳＲＱやＣＳＩなどを測定し、測定結果を上位レイヤ２１０へ出力する。
【００６３】
また、送信に先立ち、上位レイヤ２１０は、制御部２０５へ移動局装置制御情報を出力する。制御部２０５は、送信に関する移動局装置制御情報を送信制御情報として、ランダムアクセス処理部２０６、符号部２０７、変調部２０８、送信部２０９へ適切に出力する。送信制御情報は、送信信号の上りリンクスケジューリング情報として、符号化情報、変調情報、送信周波数帯域の情報、各チャネルに関する送信タイミング、多重方法、無線リソース配置情報などの情報が含まれている。
【００６４】
上位レイヤ２１０は、符号部２０７へ上りリンクトラフィックデータと上りリンク制御データを上りリンクチャネルに応じて適切に出力する。符号部２０７は送信制御情報に従い、各データを適切に符号化し、変調部２０８に出力する。変調部２０８は、符号部２０７で符号化された信号の変調を行なう。また、変調部２０８は、変調された信号に対して下りリンクリファレンスシグナルを多重し、周波数バンドにマッピングする。
【００６５】
送信部２０９は、変調部２０８から出力された周波数バンドの信号を時間領域の信号へ変換し、変換した信号を既定の周波数の搬送波にのせて電力増幅を行なうと共に図示しない１つ以上の送信機から送信する。
【００６６】
図２において、その他の移動局装置２の構成要素は本実施形態に関係ないため省略してある。
【００６７】
次に、基地局装置と移動局装置との間の無線インターフェースプロトコルの構造を示す。図３はユーザ平面（user plane; U-plane）の無線プロトコル構造（radio protocol architecture）を示すブロック図である。また、図４は制御平面（control plane; C-plane）の無線プロトコル構造を示すブロック図である。ユーザ平面は、ユーザデータ送受信のためのプロトコルスタック（ｐｒｏｔｏｃｏｌ ｓｔａｃｋ）であり、制御平面は、制御信号送受信のためのプロトコルスタックである。
【００６８】
図３及び図４において、第１の階層（レイヤ１）である物理層（Physical layer; PHY）では、異なる物理階層間、すなわち、送信側と受信側の物理層間で前述の物理チャネルを用いて通信がおこなわれる。物理層は、上位にある媒体アクセス制御（Medium Access Control; MAC）層にトランスポートチャネル（Transport channel）を介して連結されており、このトランスポートチャネルを介して物理層はＭＡＣ層に情報転送サービス（information transfer service）を行なう。
【００６９】
第２の階層（レイヤ２）のＭＡＣ層では、論理チャネル（logical channel）とトランスポートチャネルのマッピング、ＨＡＲＱ（Hybrid Automatic Repeat reQuest）によるエラー訂正、論理チャネル間の優先度に基づいた転送処理などがおこなわれる。ＭＡＣ層は、論理チャネルを介して上位階層である無線リンク制御（Radio Link Control; RLC）層と連結される。
【００７０】
第２の階層のＲＬＣ層は、データ転送の信頼性をサポートする。ＲＬＣ層にはデータの送信方法に応じて透過モード（Transparent Mode; TM）、非応答モード（Unacknowledged Mode; UM）及び応答モード（Acknowledged Mode; AM）の３種類の動作モードが存在する。ＡＭでは、ＡＲＱによるエラー訂正やプロトコルエラー検出などがおこなわれる。
【００７１】
第２の階層のＰＤＣＰ（Packet Data Convergence Protocol）層は、ＩＰパケットヘッダサイズを減らすヘッダ圧縮（header compression）やデータの暗号化、暗号の復号化などを行なう。
【００７２】
第３階層（レイヤ３）の無線リソース制御（Radio Resource Control; RRC）層は、制御平面でのみ定義される。ＲＲＣ層は、ＮＡＳ（non-access stratum）やＡＳ（access stratum）関連情報の報知や、ＲＲＣ接続の管理（Establishment/maintenance/release）、無線ベアラ（Radio Bearer; RB）の設定（configuration）、再設定（re-configuration）及び解放（release）、モビリティ（ハンドオーバ）、測定の管理とレポート、ＱｏＳ管理などを行なう。
【００７３】
ＲＲＣ層の上位に位置するＮＡＳ層は、セッション管理やモビリティ管理などを行なう。
【００７４】
ここで、基地局装置１のＭＡＣ層およびＲＲＣ層は、上位レイヤ１０９の一部として存在する。また、移動局装置２のＭＡＣ層は、ランダムアクセス処理部２０６および上位レイヤ２０９の一部として存在し、移動局装置２のＲＲＣ層は、測定部２０４および上位レイヤ２０９の一部として存在する。
【００７５】
続いて、本実施形態における測定設定（Ｍｅａｓｕｅｍｅｎｔ  Ｃｏｎｆｉｇｕｒａｔｉｏｎ）について、図５を用いて説明を行なう。
【００７６】
本実施形態における測定設定は、前述の従来のＲＲＭ測定設定と同様に、測定ＩＤと、測定対象（ｍｅａｓｕｒｅｍｅｎｔ  ｏｂｊｅｃｔ）と、測定対象に対応する測定対象ＩＤと、測定イベントを含んだ報告設定と、報告設定に対応する報告設定ＩＤとで構成される。さらに本実施形態では、測定対象の設定にチャネル状態情報基準信号の設定を含むことができるように定義する。
【００７７】
例えば、図５では、同じ周波数に対して２つの測定対象が定義されている。チャネル状態情報基準信号設定を含まないものと、１つ以上のチャネル状態情報基準信号設定を含むものである。さらに測定設定には、２つの報告設定が含まれ、前記測定対象と報告設定との組み合わせに対して３つの測定ＩＤが設定されている。
【００７８】
図５では、測定ＩＤ＃０として、識別子０の測定対象（周波数Ｆ１）と識別子０の報告設定との組み合わせが指定される。同様に、識別子０の測定対象（周波数Ｆ１）と識別子１の報告設定との組み合わせが測定ＩＤ＃１に指定され、識別子１の測定対象（周波数Ｆ１、チャネル状態情報基準信号設定１、チャネル状態情報基準信号設定２）と識別子０の報告設定との組み合わせが測定ＩＤ＃２に指定される。
【００７９】
続いて、測定部２０４について、図６を用いて説明を行なう。
【００８０】
測定部２０４はＲＲＣ層基準信号測定部６１とＰＨＹ層基準信号測定部６２とを含む。ＰＨＹ層基準信号測定部６２は、受信部２０１から入力される基準信号のＲＳＲＰやＲＳＲＱ、チャネル状態などを測定し、ＲＲＣ層基準信号測定部６１へ通知する。ＲＲＣ層基準信号測定部６１は、上位レイヤ２１０から通知される測定設定によって設定された測定対象において、ＰＨＹ層基準信号測定部６２から通知された個々の測定結果を必要であれば平均化し、報告設定に合致するか否かの判断をおこない、測定結果を上位レイヤ２１０へ通知する。ここで、測定部２０４は、上位レイヤ２１０から通知される（基地局装置１から通知される）測定設定の測定対象にチャネル状態情報基準信号設定が含まれない場合、報告設定をＲＲＭ測定のための設定とみなしてサービングセルおよび隣接セルのセル固有基準信号の測定を行ない、チャネル状態情報基準信号設定が含まれる場合、報告設定をチャネル状態情報基準信号管理測定のための設定とみなしてサービングセルで設定されるチャネル状態情報基準信号の測定を行なうように制御される。
【００８１】
すなわち、図５で示した測定設定の例では、測定ＩＤ＃０と測定ＩＤ＃２は同じ周波数で同じ報告設定であるが、報告設定で指定されるサービングセルと隣接セルの定義が変更される。測定ＩＤ＃０では従来のＲＲＭ測定と同様、測定対象の周波数においてサービングセルおよび隣接セルのセル固有基準信号を検出して測定するが、測定ＩＤ＃２では測定対象で設定された周波数のサービングセルにおいて、測定対象で設定されるチャネル状態情報基準信号（ＣＳＩ基準信号設定１、ＣＳＩ基準信号設定２）を２つの独立した隣接セルの基準信号とみなして測定する。さらに測定ＩＤ＃２において、報告設定に前述の測定イベントＡ１や測定イベントＡ３などのサービングセルの受信品質が条件に含まれる場合、前記測定対象で指定される周波数におけるサービングセルのセル間協調通信で利用され、下りリンクの伝搬路情報の取得のために用いられるチャネル状態情報基準信号をサービングセルの基準信号として設定する。前記測定対象で指定される周波数におけるサービングセルのセル間協調通信で利用され、下りリンクの伝搬路情報の取得のために用いられるチャネル状態情報基準信号が存在しない場合、当該測定（測定ＩＤ＃２）を行なわないようにしてもよい。ここで、前記下りリンクの伝搬路情報の取得のために用いられるチャネル状態情報基準信号が複数設定されている場合には、最も受信品質の高いチャネル状態情報基準信号を設定してもよいし、最も受信品質の低いチャネル状態情報基準信号を設定してもよいし、すべてのチャネル状態情報基準信号の受信品質を平均したものを受信品質としてもよいし、ＲＲＣシグナリングにより基地局装置から使用されるチャネル状態情報基準信号を指定されてもよい。また、前記下りリンクの伝搬路情報の取得のために用いられるチャネル状態情報基準信号は、ＰｈｙｓｉｃａｌＣｏｎｆｉｇＤｅｄｉｃａｔｅｄなどの物理パラメータ設定で指定されてもよく、新たに設定されるパラメータ設定（ｃｓｉ−ＲＳ−Ｃｏｎｆｉｇ−ｒ１１など）で指定されてもよく、チャネル状態情報のフィードバックのための設定（ｃｑｉ−ＲｅｐｏｒｔＣｏｎｆｉｇなど）で指定されてもよい。
【００８２】
また、チャネル状態情報基準信号設定は、測定に必要となる物理パラメータ（配置情報など）が測定対象の設定に含まれるように通知されてもよいし、物理パラメータ（配置情報など）はＰｈｙｓｉｃａｌＣｏｎｆｉｇＤｅｄｉｃａｔｅｄやＰｈｙｓｉｃａｌＣｏｎｆｉｇＤｅｄｉｃａｔｅｄＳＣｅｌｌ−ｒ１０の情報要素を用いて、複数のチャネル状態情報基準信号設定を識別可能な識別子とともに通知され、前記識別子が測定対象の設定に含まれるように通知されてもよい。
【００８３】
続いて、本実施形態の通信システムにおける測定手順について、図７を用いて説明を行なう。
【００８４】
図７において、まず、基地局装置１は移動局装置２に対して、ＲＲＣメッセージを用いて測定設定情報を含む測定設定を通知する（ステップＳ７１）。
【００８５】
ステップＳ７１で測定設定情報を通知された移動局装置２は、通知された測定設定情報を内部情報として保存し、測定設定情報に基づいて測定処理を開始する（ステップＳ７２）。具体的には、移動局装置２は測定ＩＤと測定対象の識別子と報告設定の識別子とを一つに紐付けして管理して測定する。測定ＩＤに紐付けられた測定対象の識別子と報告設定の識別子が存在する場合、設定を有効とみなして前記紐付けられた測定対象の測定をおこない、測定ＩＤに紐付けられた測定対象の識別子あるいは報告設定の識別子のどちらかあるいは両方が存在しない場合、設定を無効とみなして前記測定ＩＤに関連する測定はおこなわない。そして、誤り無く測定設定情報を設定できた場合、移動局装置２は、基地局装置１に測定設定完了を通知する（ステップＳ７３）。ここで、移動局装置２は、チャネル状態情報基準信号管理測定のための測定設定メッセージを従来のＲＲＭ測定のメッセージと共通にするために、測定対象の設定にチャネル状態情報基準信号の設定が含まれる場合に、測定設定の一部パラメータを無効として扱ってもよいし、矛盾する設定がされた場合に測定設定を無効とみなしてもよい。例えば、ＲＲＭ測定の測定設定では、測定に用いる受信品質の指定（ｔｒｉｇｇｅｒＱｕａｎｔｉｔｙ）として基準信号受信電力（ＲＳＲＰ）と受信信号受信品質（ＲＳＲＱ）を選択できるが、チャネル状態情報基準信号を用いる測定でＲＳＲＰのみが用いられる通信システムでは、測定対象の設定にチャネル状態情報基準信号の設定が含まれる場合に、前記ｔｒｉｇｇｅｒＱｕａｎｔｉｔｙの設定を無視するようにしてもよいし、ｔｒｉｇｇｅｒＱｕａｎｔｉｔｙの設定がＲＳＲＱであれば測定設定を無効とみなすようにしてもよい。
【００８６】
ＲＲＣ層基準信号測定部６１は、測定ＩＤ毎に、測定対象の設定にチャネル状態情報基準信号設定が含まれるか否かを判断して、当該測定ＩＤの測定で使用する基準信号を選択する。さらに、ＲＲＣ層基準信号測定部６１は、測定対象の設定にチャネル状態情報基準信号設定が含まれる場合には、サービングセルの基準信号と隣接セルの基準信号の定義を変更する（ステップＳ７４）。
【００８７】
その後、移動局装置２は、基準信号の測定を開始し、報告設定の条件を満たす場合に、基地局装置１に対して、ＲＲＣメッセージを用いて測定報告を送信する（ステップＳ７５）。測定報告には、少なくとも測定ＩＤが含まれ、測定対象に１以上のチャネル状態情報基準信号設定が含まれている場合には、前記複数のチャネル状態情報基準信号設定を識別可能な識別子が測定報告に含まれるようにしてもよい。この場合、測定報告のためのメッセージを従来のメッセージ（ＭｅａｓＲｅｓｕｌｔｓ）と共通にするために、前記識別子を物理セル識別子（ｐｈｙｓＣｅｌｌＩｄ）として基地局装置１に報告してもよい。
【００８８】
また、測定報告のためのメッセージを従来のメッセージ（ＭｅａｓＲｅｓｕｌｔｓ）と共通にするために、測定報告にサービングセルの受信品質情報（ｍｅａｓＲｅｓｕｌｔＰＣｅｌｌ）が含まれる場合、測定対象の設定にチャネル状態情報基準信号設定が含まれなければ、従来と同様に、ｍｅａｓＲｅｓｕｌｔＰＣｅｌｌにサービングセルのセル固有基準信号の受信品質を設定し、測定対象の設定にチャネル状態情報基準信号設定が含まれれば、ｍｅａｓＲｅｓｕｌｔＰＣｅｌｌにチャネル状態情報基準信号の受信品質を設定するようにしてもよい。ここで、ｍｅａｓＲｅｓｕｌｔＰＣｅｌｌの測定に用いられるチャネル状態情報基準信号は、サービングセルのセル間協調通信で利用され、下りリンクの伝搬路情報の取得のために用いられるチャネル状態情報基準信号であって、前記下りリンクの伝搬路情報の取得のために用いられるチャネル状態情報基準信号が複数設定されている場合には、最も受信品質の高いチャネル状態情報基準信号を設定してもよいし、最も受信品質の低いチャネル状態情報基準信号を設定してもよいし、すべてのチャネル状態情報基準信号の受信品質を平均したものを受信品質としてもよいし、ＲＲＣシグナリングにより基地局装置から使用されるチャネル状態情報基準信号を指定されてもよい。また、前記受信品質は既定の１あるいは複数のアンテナポートの受信電力の平均値としてもよいし、最良値としてもよいし、最低値としてもよい。また、前記下りリンクの伝搬路情報の取得のために用いられるチャネル状態情報基準信号は、ＰｈｙｓｉｃａｌＣｏｎｆｉｇＤｅｄｉｃａｔｅｄなどの物理パラメータ設定で指定されてもよく、新たに設定されるパラメータ設定（ｃｓｉ−ＲＳ−Ｃｏｎｆｉｇ−ｒ１１など）で指定されてもよく、チャネル状態情報のフィードバックのための設定（ｃｑｉ−ＲｅｐｏｒｔＣｏｎｆｉｇなど）で指定されてもよい。前記測定報告を受信した基地局装置１は、測定報告に含まれる測定ＩＤからｍｅａｓＲｅｓｕｌｔＰＣｅｌｌがセル固有基準信号の受信品質であるのかチャネル状態情報基準信号の受信品質であるのかを判断することができる。また、測定対象の設定にチャネル状態情報基準信号設定が含まれるか否かに依らず、ｍｅａｓＲｅｓｕｌｔＰＣｅｌｌにサービングセルのセル固有基準信号の受信品質を設定するようにしてもよい。
【００８９】
移動局装置２から測定報告を受信した基地局装置１は、ステップＳ７６において、前記測定報告に含まれる測定ＩＤから、報告された前記測定報告が従来のＲＲＭ測定の報告であるのかチャネル状態情報基準信号管理測定の報告であるのかを識別する。また、前記測定報告に測定値が含まれる場合には、前記測定報告に含まれる測定ＩＤから、セル固有基準信号の測定値であるのかチャネル状態情報基準信号の測定値であるのかを判断する。また、チャネル状態情報基準信号設定を識別するための識別子が物理セル識別子として報告される通信システムでは、前記測定報告に物理セル識別子が含まれる場合には、前記測定報告に含まれる測定ＩＤから、隣接セルの物理セル識別子であるのかチャネル状態情報基準信号設定の識別子であるのかを判断する。
【００９０】
上述のように、測定対象の設定にチャネル状態情報基準信号設定が含まれるか否かに基づいて、移動局装置２において、測定する基準信号の選択、および報告設定の解釈の変更を行ない、基地局装置１において、測定報告の解釈の変更を行なうことによって、新たにチャネル状態情報基準信号管理測定専用のメッセージを定義することなく、従来のＲＲＭ測定の仕組みへの少ない変更で、チャネル状態情報基準信号管理測定の仕組みを追加することができる。
【００９１】
［第２の実施形態］
以下、本発明の第２の実施形態について説明する。第１の実施形態では測定対象の設定にチャネル状態情報基準信号設定が含まれるか否かで測定に用いる基準信号を選択する例を示したが、本実施形態では測定対象の設定にチャネル状態情報基準信号設定が含まれる場合において、報告設定に含まれる情報に基づいて測定に用いる基準信号を選択する例を示す。
【００９２】
本実施形態の説明で用いる通信システム（基地局装置１および移動局装置２）は、第１の実施形態における、図１、および図２とそれぞれ同様であるので詳細な説明は繰り返さない。
【００９３】
続いて、本実施形態における測定設定について、図８を用いて説明を行なう。
【００９４】
本実施形態における測定設定は、前述の従来のＲＲＭ測定設定と同様に、測定ＩＤと、測定対象（ｍｅａｓｕｒｅｍｅｎｔ  ｏｂｊｅｃｔ）と、測定対象に対応する測定対象ＩＤと、測定イベントを含んだ報告設定と、報告設定に対応する報告設定ＩＤとで構成される。さらに本実施形態では、測定対象の設定にチャネル状態情報基準信号の設定を含み、報告設定に１ビットの識別ビットを含むように定義する。
【００９５】
例えば、図８では、測定設定に、チャネル状態情報基準信号設定を含む２つの測定対象が定義されている。さらに測定設定には、２つの報告設定が含まれ、報告設定１には識別ビット０と識別ビット１の２種類がある。
【００９６】
図８では、測定ＩＤ＃０として、識別子０の測定対象（周波数Ｆ１、ＣＳＩ基準信号設定）と識別子０の報告設定（報告設定１、識別ビット０）との組み合わせが指定されている。同様に、識別子１の測定対象（周波数Ｆ２、ＣＳＩ基準信号設定）と識別子１の報告設定（報告設定２、識別ビット０）との組み合わせが測定ＩＤ＃１に指定され、識別子０の測定対象（周波数Ｆ１、ＣＳＩ基準信号設定）と識別子２の報告設定（報告設定１、識別ビット１）との組み合わせが測定ＩＤ＃２に指定されている。
【００９７】
続いて、測定部２０４について、図９を用いて説明を行なう。
【００９８】
測定部２０４はＲＲＣ層基準信号測定部９１とＰＨＹ層基準信号測定部９２とを含む。ＰＨＹ層基準信号測定部９２は、受信部２０１から入力される基準信号のＲＳＲＰやＲＳＲＱ、チャネル状態などを測定し、ＲＲＣ層基準信号測定部９１へ通知する。ＲＲＣ層基準信号測定部９１は、上位レイヤ２１０から通知される測定設定によって設定された測定対象において、ＰＨＹ層基準信号測定部９２から通知された個々の測定結果を必要であれば平均化し、報告設定に合致するか否かの判断をおこない、測定結果を上位レイヤ２１０へ通知する。ここで、測定部２０４は、上位レイヤ２１０から通知される（基地局装置１から通知される）測定設定の報告設定の識別ビットが０である場合、報告設定をＲＲＭ測定のための設定とみなしてサービングセルおよび隣接セルのセル固有基準信号の測定を行ない、識別ビットが１である場合、報告設定をチャネル状態情報基準信号管理測定のための設定とみなしてサービングセルで設定されるチャネル状態情報基準信号の測定を行なうように制御される。あるいは、報告設定に識別ビットが含まれる場合、サービングセルで設定されチャネル状態情報基準信号の測定を行ない、識別ビットが含まれない場合、サービングセルおよび隣接セルのセル固有基準信号の測定を行なうように制御してもよい。また、識別ビットが１であっても測定対象の設定にチャネル状態情報基準信号設定が含まれない場合はサービングセルおよび隣接セルのセル固有基準信号を測定するようにしてもよい。また、識別ビットはブール型（ｂｏｏｌｅａｎ）であってもよい。すなわち、０と１の代わりに真(ｔｒｕｅ)と偽(ｆａｌｓｅ)の２値としてもよい。また、識別ビットは列挙型（ｅｎｕｍｅｒａｔｅｄ）のデータの一部であってもよい。
【００９９】
図８で示した測定設定の例では、測定ＩＤ＃０と測定ＩＤ＃２は同じ周波数で同じ報告設定であるが、測定ＩＤ＃０では従来のＲＲＭ測定と同様、測定対象の周波数においてサービングセルおよび隣接セルのセル固有基準信号を検出して測定するが、測定ＩＤ＃２では測定対象で設定された周波数のサービングセルにおいて、同測定対象で設定されるチャネル状態情報基準信号（ＣＳＩ基準信号設定１、ＣＳＩ基準信号設定２）を２つの独立した隣接セルの基準信号とみなして測定する。さらに測定ＩＤ＃２において、報告設定に前述の測定イベントＡ１や測定イベントＡ３などサービングセルの受信品質が条件に含まれる場合、前記測定対象で指定される周波数におけるサービングセルのセル間協調通信で利用され、下りリンクの伝搬路情報の取得のために用いられるチャネル状態情報基準信号をサービングセルの基準信号として設定する。前記測定対象で指定される周波数におけるサービングセルのセル間協調通信で利用され、下りリンクの伝搬路情報の取得のために用いられるチャネル状態情報基準信号が存在しない場合、当該測定（測定ＩＤ＃２）を行なわないようにしてもよい。ここで、前記下りリンクの伝搬路情報の取得のために用いられるチャネル状態情報基準信号が複数設定されている場合には、最も受信品質の高いチャネル状態情報基準信号を設定してもよいし、最も受信品質の低いチャネル状態情報基準信号を設定してもよいし、すべてのチャネル状態情報基準信号の受信品質を平均したものを受信品質としてもよいし、ＲＲＣシグナリングにより基地局装置から使用されるチャネル状態情報基準信号を指定されてもよい。また、受信品質は既定の１あるいは複数のアンテナポートの受信電力の平均値としてもよいし、最良値としてもよいし、最低値としてもよい。また、前記下りリンクの伝搬路情報の取得のために用いられるチャネル状態情報基準信号は、ＰｈｙｓｉｃａｌＣｏｎｆｉｇＤｅｄｉｃａｔｅｄなどの物理パラメータ設定で指定されてもよく、新たに設定されるパラメータ設定（ｃｓｉ−ＲＳ−Ｃｏｎｆｉｇ−ｒ１１など）で指定されてもよく、チャネル状態情報のフィードバックのための設定（ｃｑｉ−ＲｅｐｏｒｔＣｏｎｆｉｇなど）で指定されてもよい。
【０１００】
また、チャネル状態情報基準信号設定は、測定に必要となる物理パラメータ（配置情報など）が測定対象の設定に含まれるように通知されてもよいし、物理パラメータ（配置情報など）はＰｈｙｓｉｃａｌＣｏｎｆｉｇＤｅｄｉｃａｔｅｄやＰｈｙｓｉｃａｌＣｏｎｆｉｇＤｅｄｉｃａｔｅｄＳＣｅｌｌ−ｒ１０の情報要素を用いて、複数のチャネル状態情報基準信号設定を識別可能な識別子とともに通知され、前記識別子が測定対象の設定に含まれるように通知されてもよい。
【０１０１】
続いて、本実施形態の通信システムにおける測定手順について、第１の実施形態と同様に図７を用いて説明を行なう。
【０１０２】
図７において、まず、基地局装置１は移動局装置２に対して、測定設定を通知する（ステップＳ７１）。
【０１０３】
ステップＳ７１で測定設定を通知された移動局装置２は、通知された測定設定を内部情報として保存する（ステップＳ７２）。具体的には、移動局装置２は測定ＩＤと測定対象の識別子と報告設定の識別子とを一つに紐付けして管理して測定する。測定ＩＤに紐付けられた測定対象の識別子と報告設定の識別子が存在する場合、設定を有効とみなして前記紐付けられた測定対象の測定をおこない、測定ＩＤに紐付けられた測定対象の識別子あるいは報告設定の識別子のどちらかあるいは両方が存在しない場合、設定を無効とみなして前記測定ＩＤに関連する測定はおこなわない。そして、誤り無く測定設定情報を設定できた場合、移動局装置２は、基地局装置１に測定設定完了を通知する（ステップＳ７３）。ここで、移動局装置２は、チャネル状態情報基準信号管理測定のための測定設定メッセージを従来のＲＲＭ測定のメッセージと共通にするために、識別ビットが１である場合に、測定設定の一部パラメータを無効として扱ってもよいし、矛盾する設定がされた場合に測定設定を無効とみなしてもよい。例えば、ＲＲＭ測定の測定設定では、測定に用いる受信品質の指定（ｔｒｉｇｇｅｒＱｕａｎｔｉｔｙ）として基準信号受信電力（ＲＳＲＰ）と受信信号受信品質（ＲＳＲＱ）を選択できるが、チャネル状態情報基準信号を用いる測定でＲＳＲＰのみが用いられる通信システムでは、識別ビットが１である場合に、前記ｔｒｉｇｇｅｒＱｕａｎｔｉｔｙの設定を無視するようにしてもよいし、ｔｒｉｇｇｅｒＱｕａｎｔｉｔｙの設定がＲＳＲＱであれば測定設定を無効とみなすようにしてもよい。
【０１０４】
ＲＲＣ層基準信号測定部９１は、測定ＩＤ毎に、報告設定の識別ビットを確認して、当該測定ＩＤの測定で使用する基準信号を選択する。さらに、識別ビットが１である場合には、サービングセルの基準信号と隣接セルの基準信号の定義を変更する（ステップＳ７４）。
【０１０５】
その後、移動局装置２は、基準信号の測定を開始し、報告設定の条件を満たす場合に、基地局装置１に対して、ＲＲＣメッセージを用いて測定報告を送信する（ステップＳ７５）。測定報告には、少なくとも測定ＩＤが含まれ、識別ビットが１である場合には、前記チャネル状態情報基準信号設定を識別可能な識別子が測定報告に含まれるようにしてもよい。この場合、測定報告のためのメッセージを従来のメッセージ（ＭｅａｓＲｅｓｕｌｔｓ）と共通にするために、前記識別子を物理セル識別子（ｐｈｙｓＣｅｌｌＩｄ）として基地局装置１に報告してもよい。
【０１０６】
また、測定報告のためのメッセージを従来のメッセージ（ＭｅａｓＲｅｓｕｌｔｓ）と共通にするために、測定報告にサービングセルの受信品質情報（ｍｅａｓＲｅｓｕｌｔＰＣｅｌｌ）が含まれる場合、識別ビットが０であれば、従来と同様に、ｍｅａｓＲｅｓｕｌｔＰＣｅｌｌにサービングセルのセル固有基準信号の受信品質を設定し、識別ビットが１であれば、ｍｅａｓＲｅｓｕｌｔＰＣｅｌｌにチャネル状態情報基準信号の受信品質を設定するようにしてもよい。ここで、ｍｅａｓＲｅｓｕｌｔＰＣｅｌｌの測定に用いられるチャネル状態情報基準信号は、サービングセルのセル間協調通信で利用され、下りリンクの伝搬路情報の取得のために用いられるチャネル状態情報基準信号であって、前記下りリンクの伝搬路情報の取得のために用いられるチャネル状態情報基準信号が複数設定されている場合には、最も受信品質の高いチャネル状態情報基準信号を設定してもよいし、最も受信品質の低いチャネル状態情報基準信号を設定してもよいし、すべてのチャネル状態情報基準信号の受信品質を平均したものを受信品質としてもよいし、ＲＲＣシグナリングにより基地局装置から使用されるチャネル状態情報基準信号を指定されてもよい。また、前記受信品質は既定の１あるいは複数のアンテナポートの受信電力の平均値としてもよいし、最良値としてもよいし、最低値としてもよい。また、前記下りリンクの伝搬路情報の取得のために用いられるチャネル状態情報基準信号は、ＰｈｙｓｉｃａｌＣｏｎｆｉｇＤｅｄｉｃａｔｅｄなどの物理パラメータ設定で指定されてもよく、新たに設定されるパラメータ設定（ｃｓｉ−ＲＳ−Ｃｏｎｆｉｇ−ｒ１１など）で指定されてもよく、チャネル状態情報のフィードバックのための設定（ｃｑｉ−ＲｅｐｏｒｔＣｏｎｆｉｇなど）で指定されてもよい。前記測定報告を受信した基地局装置１は、測定報告に含まれる測定ＩＤからｍｅａｓＲｅｓｕｌｔＰＣｅｌｌがセル固有基準信号の受信品質であるのかチャネル状態情報基準信号の受信品質であるのかを判断することができる。また、識別ビットの値に依らず、ｍｅａｓＲｅｓｕｌｔＰＣｅｌｌにサービングセルのセル固有基準信号の受信品質を設定するようにしてもよい。
【０１０７】
移動局装置２から測定報告を受信した基地局装置１は、ステップＳ７６において、前記測定報告に含まれる測定ＩＤから、報告された前記測定報告が従来のＲＲＭ測定の報告であるのかチャネル状態情報基準信号管理測定の報告であるのかを識別する。また、前記測定報告に測定値が含まれる場合には、前記測定報告に含まれる測定ＩＤから、セル固有基準信号の測定値であるのかチャネル状態情報基準信号の測定値であるのかを判断する。また、チャネル状態情報基準信号設定を識別するための識別子が物理セル識別子として報告される通信システムでは、前記測定報告に物理セル識別子が含まれる場合には、前記測定報告に含まれる測定ＩＤから、隣接セルの物理セル識別子であるのかチャネル状態情報基準信号設定の識別子であるのかを判断する。
【０１０８】
上述のように、報告設定に基準信号選択のための識別ビットが含まれ、この識別ビットに基づいて、移動局装置２において、測定する基準信号の選択、および報告設定の解釈の変更を行ない、基地局装置１において、測定報告の解釈の変更を行なうことによって、第１の実施形態同様、新たにチャネル状態情報基準信号管理測定専用のメッセージを定義することなく、従来のＲＲＭ測定の仕組みへの少ない変更で、チャネル状態情報基準信号管理測定の仕組みを追加することができる。さらにチャネル状態情報基準信号が設定されている場合であっても必要に応じてセル固有基準信号の測定とチャネル状態情報基準信号の測定とを切り替えることができる。
【０１０９】
［第３の実施形態］
以下、本発明の第３の実施形態について説明する。本実施形態では測定対象の設定にチャネル状態情報基準信号設定が含まれる場合において、報告設定に含まれる情報に基づいて測定に用いる基準信号を選択する第２の実施形態とは別の例を示す。
【０１１０】
本実施形態の説明で用いる通信システム（基地局装置１および移動局装置２）は、第１の実施形態における、図１、および図２とそれぞれ同様であるので詳細な説明は繰り返さない。
【０１１１】
続いて、本実施形態における測定設定について、図１０を用いて説明を行なう。
【０１１２】
本実施形態における測定設定は、前述の従来のＲＲＭ測定設定と同様に、測定ＩＤと、測定対象（ｍｅａｓｕｒｅｍｅｎｔ  ｏｂｊｅｃｔ）と、測定対象に対応する測定対象ＩＤと、測定イベントを含んだ報告設定と、報告設定に対応する報告設定ＩＤとで構成される。さらに本実施形態では、測定対象の設定にチャネル状態情報基準信号の設定を含み、報告設定の測定イベントとして新たにチャネル状態情報基準信号管理測定のための測定イベントを含むことができるように定義する。
【０１１３】
例えば、図８では、測定設定に、チャネル状態情報基準信号設定を含む２つの測定対象が定義されている。さらに測定設定には、３つの報告設定が含まれ、報告設定１と報告設定２は、セル固有基準信号を用いた測定を行なう従来からの測定イベントであり、報告設定３は、新たに定義したチャネル状態情報基準信号管理測定のための測定イベントである。
【０１１４】
図８では、測定ＩＤ＃０として、識別子０の測定対象（周波数Ｆ１、ＣＳＩ基準信号設定）と識別子０の報告設定１との組み合わせが指定されている。同様に、識別子１の測定対象（周波数Ｆ２、ＣＳＩ基準信号設定）と識別子１の報告設定２との組み合わせが測定ＩＤ＃１に指定され、識別子０の測定対象（周波数Ｆ１、ＣＳＩ基準信号設定）と識別子２の報告設定３との組み合わせが測定ＩＤ＃２に指定されている。
【０１１５】
続いて、測定部２０４について、図１１を用いて説明を行なう。
【０１１６】
測定部２０４はＲＲＣ層基準信号測定部１１０１とＰＨＹ層基準信号測定部１１０２とを含む。ＰＨＹ層基準信号測定部１１０２は、受信部２０１から入力される基準信号のＲＳＲＰやＲＳＲＱ、チャネル状態などを測定し、ＲＲＣ層基準信号測定部１１０１へ通知する。ＲＲＣ層基準信号測定部１１０１は、上位レイヤ２１０から通知される測定設定によって設定された測定対象において、ＰＨＹ層基準信号測定部１１０２から通知された個々の測定結果を必要であれば平均化し、報告設定に合致するか否かの判断をおこない、測定結果を上位レイヤ２１０へ通知する。ここで、測定部２０４は、上位レイヤ２１０から通知される（基地局装置１から通知される）測定設定の報告設定の測定イベントがセル固有基準信号の測定を行なう従来の測定イベントである場合、サービングセルおよび隣接セルのセル固有基準信号の測定を行ない、測定設定の測定イベントがチャネル状態情報基準信号の測定を行なう測定イベントである場合、サービングセルで設定されるチャネル状態情報基準信号の測定を行なうように制御される。ここで、チャネル状態情報基準信号の測定を行なう測定イベントとしては、チャネル状態情報基準信号の受信品質が報告設定で設定される閾値を超える場合に報告（Ｃｏｎｆｉｇｕｒｅｄ  ＣＳＩ  ＲＳ  ｂｅｃｏｍｅｓ  ｂｅｔｔｅｒ  ｔｈａｎ  ｔｈｒｅｓｈｏｌｄ）や、チャネル状態情報基準信号の受信品質が報告設定で設定される閾値を下回る場合に報告（Ｃｏｎｆｉｇｕｒｅｄ  ＣＳＩ  ＲＳ  ｂｅｃｏｍｅｓ  ｗｏｒｓｅ  ｔｈａｎ  ｔｈｒｅｓｈｏｌｄ）や、セル間協調通信で使用される（下りリンクの伝搬路情報の取得のために用いられる）チャネル状態情報基準信号の受信品質が報告設定で設定される閾値を越える／下回る場合に報告などが挙げられる。前記セル間協調通信で使用されるチャネル状態情報基準信号は、ＰｈｙｓｉｃａｌＣｏｎｆｉｇＤｅｄｉｃａｔｅｄなどの物理パラメータ設定で指定されるチャネル状態基準信号であってもよいし、新たに設定されるパラメータ設定（ｃｓｉ−ＲＳ−Ｃｏｎｆｉｇ−ｒ１１など）で指定されるチャネル状態基準信号であってもよいし、チャネル状態情報のフィードバックのための設定（ｃｑｉ−ＲｅｐｏｒｔＣｏｎｆｉｇなど）で指定されるチャネル状態基準信号であってもよい。この場合、必ずしも測定対象にチャネル状態基準信号設定が含まれる必要はない。また、前記受信品質は、既定の１あるいは複数のアンテナポートの受信電力の平均値としてもよいし、最良値としてもよいし、最低値としてもよい。
【０１１７】
図１０で示した測定設定の例では、測定ＩＤ＃０と測定ＩＤ＃２は同じ測定対象であるが、測定ＩＤ＃０では、従来の測定イベントとして、測定対象の周波数においてサービングセルおよび隣接セルのセル固有基準信号を検出して測定するが、測定ＩＤ＃２では測定対象で設定された周波数のサービングセルにおいて、同測定対象で設定されるチャネル状態情報基準信号（ＣＳＩ基準信号設定１、ＣＳＩ基準信号設定２）を測定する。
【０１１８】
また、チャネル状態情報基準信号設定は、測定に必要となる物理パラメータ（配置情報など）が測定対象の設定に含まれるように通知されてもよいし、物理パラメータ（配置情報など）はＰｈｙｓｉｃａｌＣｏｎｆｉｇＤｅｄｉｃａｔｅｄやＰｈｙｓｉｃａｌＣｏｎｆｉｇＤｅｄｉｃａｔｅｄＳＣｅｌｌ−ｒ１０の情報要素を用いて、複数のチャネル状態情報基準信号設定を識別可能な識別子とともに通知され、前記識別子が測定対象の設定に含まれるように通知されてもよい。
【０１１９】
続いて、本実施形態の通信システムにおける測定手順について、第１の実施形態と同様に図７を用いて説明を行なう。
【０１２０】
図７において、まず、基地局装置１は移動局装置２に対して、測定設定を通知する（ステップＳ７１）。
【０１２１】
ステップＳ７１で測定設定を通知された移動局装置２は、通知された測定設定を内部情報として保存する（ステップＳ７２）。具体的には、移動局装置２は測定ＩＤと測定対象の識別子と報告設定の識別子とを一つに紐付けして管理して測定する。測定ＩＤに紐付けられた測定対象の識別子と報告設定の識別子が存在する場合、設定を有効とみなして前記紐付けられた測定対象の測定をおこない、測定ＩＤに紐付けられた測定対象の識別子あるいは報告設定の識別子のどちらかあるいは両方が存在しない場合、設定を無効とみなして前記測定ＩＤに関連する測定はおこなわない。そして、誤り無く測定設定情報を設定できた場合、移動局装置２は、基地局装置１に測定設定完了を通知する（ステップＳ７３）。ここで、移動局装置２は、チャネル状態情報基準信号管理測定のための測定設定メッセージを従来のＲＲＭ測定のメッセージと共通にするために、測定設定の測定イベントがチャネル状態情報基準信号の測定を行なう測定イベントである場合に、測定設定の一部パラメータを無効として扱ってもよいし、矛盾する設定がされた場合に測定設定を無効とみなしてもよい。例えば、ＲＲＭ測定の測定設定では、測定に用いる受信品質の指定（ｔｒｉｇｇｅｒＱｕａｎｔｉｔｙ）として基準信号受信電力（ＲＳＲＰ）と受信信号受信品質（ＲＳＲＱ）を選択できるが、チャネル状態情報基準信号を用いる測定でＲＳＲＰのみが用いられる通信システムでは、測定設定の測定イベントがチャネル状態情報基準信号の測定を行なう測定イベントである場合に、前記ｔｒｉｇｇｅｒＱｕａｎｔｉｔｙの設定を無視するようにしてもよいし、ｔｒｉｇｇｅｒＱｕａｎｔｉｔｙの設定がＲＳＲＱであれば測定設定を無効とみなすようにしてもよい。
【０１２２】
ＲＲＣ層基準信号測定部１１０１は、測定ＩＤ毎に、報告設定の測定イベントを確認して、当該測定ＩＤの測定で使用する基準信号を選択する。（ステップＳ７４）。
【０１２３】
その後、移動局装置２は、基準信号の測定を開始し、報告設定の条件を満たす場合に、基地局装置１に対して、ＲＲＣメッセージを用いて測定報告を送信する（ステップＳ７５）。測定報告には、少なくとも測定ＩＤが含まれ、チャネル状態情報基準信号管理測定の測定イベントである場合には、前記チャネル状態情報基準信号設定を識別可能な識別子が測定報告に含まれるようにしてもよい。この場合、測定報告のためのメッセージを従来のメッセージ（ＭｅａｓＲｅｓｕｌｔｓ）と共通にするために、前記識別子を物理セル識別子（ｐｈｙｓＣｅｌｌＩｄ）として基地局装置１に報告してもよい。
【０１２４】
また、測定報告のためのメッセージを従来のメッセージ（ＭｅａｓＲｅｓｕｌｔｓ）と共通にするために、測定報告にサービングセルの受信品質情報（ｍｅａｓＲｅｓｕｌｔＰＣｅｌｌ）が含まれる場合、測定イベントがセル固有基準信号の測定イベントであれば、従来と同様に、ｍｅａｓＲｅｓｕｌｔＰＣｅｌｌにサービングセルのセル固有基準信号の受信品質を設定し、測定イベントがチャネル状態情報基準信号の測定イベントであれば、ｍｅａｓＲｅｓｕｌｔＰＣｅｌｌにチャネル状態情報基準信号の受信品質を設定するようにしてもよい。ここで、ｍｅａｓＲｅｓｕｌｔＰＣｅｌｌの測定に用いられるチャネル状態情報基準信号は、サービングセルのセル間協調通信で利用され、下りリンクの伝搬路情報の取得のために用いられるチャネル状態情報基準信号であって、前記下りリンクの伝搬路情報の取得のために用いられるチャネル状態情報基準信号が複数設定されている場合には、最も受信品質の高いチャネル状態情報基準信号を設定してもよいし、最も受信品質の低いチャネル状態情報基準信号を設定してもよいし、すべてのチャネル状態情報基準信号の受信品質を平均したものを受信品質としてもよいし、ＲＲＣシグナリングにより基地局装置から使用されるチャネル状態情報基準信号を指定されてもよい。また、前記受信品質は既定の１あるいは複数のアンテナポートの受信電力の平均値としてもよいし、最良値としてもよいし、最低値としてもよい。また、前記下りリンクの伝搬路情報の取得のために用いられるチャネル状態情報基準信号は、ＰｈｙｓｉｃａｌＣｏｎｆｉｇＤｅｄｉｃａｔｅｄなどの物理パラメータ設定で指定されてもよく、新たに設定されるパラメータ設定（ｃｓｉ−ＲＳ−Ｃｏｎｆｉｇ−ｒ１１など）で指定されてもよく、チャネル状態情報のフィードバックのための設定（ｃｑｉ−ＲｅｐｏｒｔＣｏｎｆｉｇなど）で指定されてもよい。前記測定報告を受信した基地局装置１は、測定報告に含まれる測定ＩＤからｍｅａｓＲｅｓｕｌｔＰＣｅｌｌがセル固有基準信号の受信品質であるのかチャネル状態情報基準信号の受信品質であるのかを判断することができる。また、測定イベントに依らず、ｍｅａｓＲｅｓｕｌｔＰＣｅｌｌにサービングセルのセル固有基準信号の受信品質を設定するようにしてもよい。
【０１２５】
移動局装置２から測定報告を受信した基地局装置１は、ステップＳ７６において、前記測定報告に含まれる測定ＩＤから、報告された前記測定報告が従来のＲＲＭ測定の測定イベントの報告であるのかチャネル状態情報基準信号管理測定の測定イベントの報告であるのかを識別する。また、前記測定報告に測定値が含まれる場合には、前記測定報告に含まれる測定ＩＤから、セル固有基準信号の測定値であるのかチャネル状態情報基準信号の測定値であるのかを判断する。また、チャネル状態情報基準信号設定を識別するための識別子が物理セル識別子として報告される通信システムでは、前記測定報告に物理セル識別子が含まれる場合には、前記測定報告に含まれる測定ＩＤから、隣接セルの物理セル識別子であるのかチャネル状態情報基準信号設定の識別子であるのかを判断する。また、前記測定報告はＲＲＭ測定の報告とは異なる形式のメッセージとして基地局装置１へ通知されてもよい。
【０１２６】
上述のように、報告設定にチャネル状態情報基準信号を用いる測定イベントが含まれ、移動局装置２において、測定イベントの種類に基づいて、測定する基準信号の選択を行なうことによって、第１の実施形態同様、新たにチャネル状態情報基準信号管理測定専用のメッセージを定義することなく、従来のＲＲＭ測定の仕組みへの少ない変更で、チャネル状態情報基準信号管理測定の仕組みを追加することができる。さらにチャネル状態情報基準信号が設定されている場合であっても測定イベントに基づいてセル固有基準信号の測定とチャネル状態情報基準信号の測定とを切り替えることができる。
【０１２７】
なお、上述の第１から第３の実施形態の説明で用いた「受信品質」とは、基準信号受信電力（Reference Signal Received Power; RSRP）であってもよいし、基準信号受信品質（Reference Signal Received Quality; RSRQ）であってもよいし、パスロスやそれ以外の測定値（ＳＩＲ、ＳＩＮＲ、ＲＳＳＩ、ＢＬＥＲ）などを指すものであってもよいし、またはこれらの測定値の複数を組み合わせたものであってもよい。
【０１２８】
また、上記各実施形態で、チャネル状態情報基準信号が測定に用いられる基準信号に設定される場合であっても、測定報告にサービングセルのセル固有基準信号の受信品質の測定結果を含めたり、ＲＲＭ測定やチャネル状態情報基準信号管理測定の開始の条件としてセル固有基準信号の受信品質を用いたりするなどの理由で、セル固有基準信号の測定も行なわれてもよい。
【０１２９】
また、本発明に係る実施形態で示される各パラメータの名称は、説明の便宜上呼称しているものであって、実際に適用されるパラメータ名称と本発明のパラメータ名称とが異なっていても、本発明が主張する発明の趣旨に影響するものではない。
【０１３０】
以上、本発明に係る実施形態の説明を行なってきたが、本発明における基地局装置や移動局装置に関しては、基地局装置および移動局装置の各部の機能またはこれらの機能の一部を実現するためのプログラムをコンピュータ読み取り可能な記録媒体に記録して、この記録媒体に記録されたプログラムをコンピュータシステムに読み込ませ、実行することにより各実施形態で示した制御を行なってもよい。なお、ここでいう「コンピュータシステム」とは、ＯＳや周辺機器等のハードウェアを含むものとする。
【０１３１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【０１３２】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現してもよい。また、半導体技術の進歩によりＬＳＩに代替する集積回路化の技術が出現した場合、当該技術による集積回路を用いることも可能である。
【０１３３】
以上、本発明の実施形態について特定の具体例に基づいて詳述してきたが、本発明の趣旨ならびに特許請求の範囲は、これら特定の具体例に限定されないことは明らかである。すなわち、本明細書の記載は例示説明を目的としたものであり、本発明に対して何ら制限を加えるものではない。
【符号の説明】
【０１３４】
１…基地局装置
２…移動局装置
１０１、２０１…受信部
１０２、２０２…復調部
１０３、２０３…復号部
１０４、２０５…制御部
１０５、２０７…符号部
１０６、２０８…変調部
１０７、２０９…送信部
１０８…ネットワーク信号送受信部
１０９、２１０…上位レイヤ
２０４…測定部
２０６…ランダムアクセス処理部
【図１】
0006010341.tif 000002
【図２】
0006010341.tif 000003
【図３】
0006010341.tif 000004
【図４】
0006010341.tif 000005
【図５】
0006010341.tif 000006
【図６】
0006010341.tif 000007
【図７】
0006010341.tif 000008
【図８】
0006010341.tif 000009
【図９】
0006010341.tif 000010
【図１０】
0006010341.tif 000011
【図１１】
0006010341.tif 000012
【図１２】
0006010341.tif 000013
【図１３】
0006010341.tif 000014